(57)【要約】【課題】住宅に住まう居住者の生活活動を簡易且つ低コストで自動的に記録する。【解決手段】本実施形態の生活活動記録システムによれば、主装置１において、電気機器Ｍnの動作状況を自動的に収集するとともに当該動作状況から推定される居住者の生活活動を含む生活活動を記憶し、記憶した生活活動を表示装置２に配信して表示する。故に、従来例のように住宅内に設置される電気機器全てに人体検知手段や操作検知手段を設ける必要がなく、居住者の生活活動を簡易且つ低コストで自動的に記録することができる。【選択図】図１
2009109242.tif 000002
【特許請求の範囲】
【請求項１】
分電盤に設けられている複数系統の分岐回路毎に当該分岐回路に流れる電流を検出する検出手段と、個々の分岐回路に接続される電気機器に対応する識別情報並びに検出手段の検出結果を検出手段が検出したタイミングと対応付けて記憶する記憶手段と、記憶手段に記憶した検出結果をもとに各分岐回路に接続された電気機器の動作状況を推定するとともに、その推定した動作状況及び電気機器の識別情報及び検出手段の検出したタイミングに基づいて居住者の生活活動を推定し且つ推定した生活活動を記憶手段に記憶させる推定手段と、記憶手段に記憶された生活活動を表示する表示手段とを備えたことを特徴とする生活活動記録システム。
【請求項２】
推定手段は、電気機器の動作状況を推定する際、記憶手段に記憶した検出結果から各分岐回路毎の電力量を求めた上で、当該電力量から各分岐回路に接続された電気機器の動作状況を推定することを特徴とする請求項１記載の生活活動記録システム。
【請求項３】
推定手段は、電気機器の動作状況を推定する際、記憶手段に記憶した検出結果から各分岐回路毎の電力の変化を求めた上で、当該電流変化から各分岐回路に接続された電気機器の動作状況を推定することを特徴とする請求項１記載の生活活動記録システム。
【請求項４】
記憶手段は、分電盤が設置されている住宅の見取り図並びに当該見取り図における各電気機器の配置を記憶しており、
推定手段は、前記生活活動を住宅の見取り図と対応させて記憶手段に記憶させることを特徴とする請求項１〜３の何れか１項に記載の生活活動記録システム。
【請求項５】
記憶手段に記憶されている所定期間の生活活動を総合した情報を表示手段に表示することを特徴とする請求項１〜４の何れか１項に記載の生活活動記録システム。
【請求項６】
記憶手段に記憶されている生活活動を時系列に連続して表示手段に表示することを特徴とする請求項１〜４の何れか１項に記載の生活活動記録システム。
【請求項７】
文字の入力を受け付ける文字入力受付手段を備え、文字入力受付手段で受け付けた文字情報が生活活動と対応付けて記憶手段に記憶され、表示手段は、生活活動とともに文字情報を表示することを特徴とする請求項１〜６の何れか１項に記載の生活活動記録システム。
【発明の詳細な説明】
【技術分野】
【０００１】
本発明は、住宅内に設置されている電気機器の動作状況に基づいて居住者の生活活動を記録する生活活動記録システムに関するものである。
【背景技術】
【０００２】
個人が生活上の記録を残す手段としては日記帳が一般的であるが、日記帳に日記を書くという作業を伴うために継続することが難しいという問題がある。また、テレビカメラと、テレビカメラで撮像した映像を記録するビデオテープレコーダと、テレビカメラ及びビデオテープレコーダから出力する映像信号を入力して表示するテレビ受像機と、テレビカメラの映像信号をビデオテープレコーダとテレビ受像機に切換出力するとともにテレビカメラの映像信号とビデオテープレコーダの映像信号をテレビ受像機に切換出力するセレクタと、テレビカメラ、ビデオテープレコーダ、テレビ受像機を遠隔制御するリモートコントローラとを備え、テレビカメラで撮像した映像を生活活動として記録する日常生活記録装置が提案されている（特許文献１参照）。しかしながら、特許文献１に開示されているものは、個人が自らテレビカメラを操作して映像を記録する必要があり、日記を書く場合と同様に手間がかかるという問題があった。
【０００３】
これに対して、住宅内に設置された電気機器に、人体検知手段と電気機器の操作検知手段とを設け、各検知手段の検知結果を集積することで居住者の生活活動を解析し且つ評価する生活活動評価システムが提案されている（特許文献２参照）。
【特許文献１】実開平７−２９９７０号公報
【特許文献２】特開２００４−５４７３１号公報
【発明の開示】
【発明が解決しようとする課題】
【０００４】
しかしながら、上記後者の従来例においては、住宅内に設置される電気機器全てに人体検知手段や操作検知手段を設ける必要があるため、初期費用が高くなるとい問題や新たな電気機器の追加に迅速且つ柔軟に対応することが難しいという問題がある。
【０００５】
本発明は上記事情に鑑みて為されたものであり、その目的は、住宅に住まう居住者の生活活動を簡易且つ低コストで自動的に記録することができる生活活動記録システムを提供することにある。
【課題を解決するための手段】
【０００６】
請求項１の発明は、上記目的を達成するために、分電盤に設けられている複数系統の分岐回路毎に当該分岐回路に流れる電流を検出する検出手段と、個々の分岐回路に接続される電気機器に対応する識別情報並びに検出手段の検出結果を検出手段が検出したタイミングと対応付けて記憶する記憶手段と、記憶手段に記憶した検出結果をもとに各分岐回路に接続された電気機器の動作状況を推定するとともに、その推定した動作状況及び電気機器の識別情報及び検出手段の検出したタイミングに基づいて居住者の生活活動を推定し且つ推定した生活活動を記憶手段に記憶させる推定手段と、記憶手段に記憶された生活活動を表示する表示手段とを備えたことを特徴とする。
【０００７】
請求項１の発明によれば、電気機器の動作状況を自動的に収集するとともに当該動作状況から推定される居住者の生活活動を記憶手段に記憶し、記憶手段に記憶した生活活動を表示手段に表示するので、従来例のように住宅内に設置される電気機器全てに人体検知手段や操作検知手段を設ける必要がなく、住宅に住まう居住者の生活活動を簡易且つ低コストで自動的に記録することができる。
【０００８】
請求項２の発明は、請求項１の発明において、推定手段は、電気機器の動作状況を推定する際、記憶手段に記憶した検出結果から各分岐回路毎の電力量を求めた上で、当該電力量から各分岐回路に接続された電気機器の動作状況を推定することを特徴とする。
【０００９】
請求項３の発明は、請求項１の発明において、推定手段は、電気機器の動作状況を推定する際、記憶手段に記憶した検出結果から各分岐回路毎の電力の変化を求めた上で、当該電流変化から各分岐回路に接続された電気機器の動作状況を推定することを特徴とする。
【００１０】
請求項４の発明は、請求項１〜３の何れか１項の発明において、記憶手段は、分電盤が設置されている住宅の見取り図並びに当該見取り図における各電気機器の配置を記憶しており、推定手段は、前記生活活動を住宅の見取り図と対応させて記憶手段に記憶させることを特徴とする。
【００１１】
請求項４の発明によれば、生活活動を住宅の見取り図と対応させて表示手段に表示することができて生活活動記録の利便性が向上する。
【００１２】
請求項５の発明は、請求項１〜４の何れか１項の発明において、記憶手段に記憶されている所定期間の生活活動を総合した情報を表示手段に表示することを特徴とする。
【００１３】
請求項５の発明によれば、例えば、１日単位あるいは１週間単位で総合した生活活動が表示手段で表示できて生活活動記録の利便性が向上する。
【００１４】
請求項６の発明は、請求項１〜４の何れか１項の発明において、記憶手段に記憶されている生活活動を時系列に連続して表示手段に表示することを特徴とする。
【００１５】
請求項６の発明によれば、例えば、１日あるいは１月の生活活動が時系列に連続して表示手段で表示できて生活活動記録の利便性が向上する。
【００１６】
請求項７の発明は、請求項１〜６の何れか１項の発明において、文字の入力を受け付ける文字入力受付手段を備え、文字入力受付手段で受け付けた文字情報が生活活動と対応付けて記憶手段に記憶され、表示手段は、生活活動とともに文字情報を表示することを特徴とする。
【００１７】
請求項７の発明よれば、生活活動の一部として居住者のコメントを文字で残すことができて生活活動記録の利便性が向上する。
【発明の効果】
【００１８】
本発明によれば、従来例のように住宅内に設置される電気機器全てに人体検知手段や操作検知手段を設ける必要がなく、住宅に住まう居住者の生活活動を簡易且つ低コストで自動的に記録することができる。
【発明を実施するための最良の形態】
【００１９】
以下、図面を参照して本発明の実施形態を詳細に説明する。
【００２０】
本実施形態の生活活動記録システムは、図１に示すように住宅Ｈ内に設置される主装置１並びに表示装置２で構成される。主装置１は、住宅用分電盤（住宅盤）ＰＢのキャビネット（図示せず）内に主開閉器ＭＢや複数の分岐開閉器ＳＢ１，ＳＢ２，ＳＢ３，…とともに収納される。分岐開閉器ＳＢｎ（ｎ＝１，２，…）から住宅盤ＰＢの外へ導出される分岐回路の電線Ｌｐ１，Ｌｐ２，…が住宅Ｈ内の各部屋（リビング、台所、浴室、居室、トイレなど）まで配線され、コンセント（図示せず）を介して様々な電気機器Ｍ１，Ｍ２，Ｍ３，…と接続されている。通常、一つの分岐回路には複数の電気機器（コンセント）が接続されるが、空調機（エアコンディショナ）や床暖房設備、ＩＨ調理機器などの消費電力が大きい電気機器については一つの電気機器毎に一つの分岐回路が専用に用いられる。
【００２１】
主装置１は、各分岐開閉器ＳＢｎを通じて電線Ｌｐｎに流れる電流（以下、分岐電流と呼ぶ。）を検出する分岐電流検出部１３1，１３2，１３3，…と、分岐電流検出部１３n（ｎ＝１，２，…）で検出する分岐電流に基づいて各分岐回路毎の電力量（分岐回路に接続されている電気機器Ｍnが消費する電力量。以下同じ）を演算する電力量演算部１４と、ＣＰＵを主構成要素とする制御部１０と、書換可能な不揮発性半導体メモリからなる記憶部１１と、表示装置２との間で通信する通信部１２とを備えている。分岐電流検出部１３nは、電流トランス、電流トランスの出力を増幅するアンプ、増幅されたアナログ出力をＡ／Ｄ変換するＡ／Ｄ変換器等で構成される。電力量演算部１４は、分岐電流検出部１３nから取り込んだディジタルの検出値（電流値）に基づいて分岐回路の電力量を演算し、分岐電流検出部１３nから取り込んだ電流値とともに制御部１０に出力している。但し、制御部１０を構成するＣＰＵで電力量演算部１４を実現することも可能である。
【００２２】
制御部１０は、電力量演算部１４から受け取った各分岐回路毎の電流値並びに電力量を日時と対応付けて記憶部１１に記憶させるとともに、後述するように記憶部１１に記憶させた電流値や電力量などの情報に基づいて居住者の生活活動を推定する処理を行う。すなわち、本実施形態では制御部１０のＣＰＵで推定処理用のプログラムを実行することにより推定手段を実現している。
【００２３】
通信部１２は、ローカル・エリア・ネットワーク（ＬＡＮ）の規格である100BASE-TX(IEEE-802.3u)に準拠したネットワーク通信を行うものであって、エンハンスト・カテゴリー５又はカテゴリー６のツイストペアケーブル（ＬＡＮケーブル）Ｌｓによりネットワーク装置Ｎと接続されている。
【００２４】
ネットワーク装置Ｎは、ハブの機能（集線機能）、ルータの機能（ルーティング機能）、いわゆるブロードバンド回線（光フィイバ回線，ＡＤＳＬ回線，ＣＡＴＶ回線など）を通じてインターネットに接続する機能を併せ持つものであって、複数のポートの一つにＬＡＮケーブルＬｓを介して主装置１の通信部１２が接続され、他のポートに表示装置２が接続されている。また本実施形態における表示装置２は、ＬＡＮケーブルＬｓを介してネットワーク装置Ｎ及び主装置１とネットワーク通信するネットワーク通信機能を有したテレビ受像機からなり、後述するように主装置１からＬＡＮケーブルＬｓを介して配信される情報を画面に表示する。尚、このような機能を有するネットワーク装置Ｎやテレビ受像機（表示装置２）については従来周知であるから詳細な構成についての図示並びに説明は省略する。
【００２５】
図１に示すように、本実施形態の生活活動記録システムはネットワーク装置Ｎよりインターネットを介してサーバ装置Ｓと通信可能であって、主装置１の記憶部１１に記憶している生活活動をインターネット経由でサーバ装置Ｓに送信し、当該生活活動をサーバ装置Ｓで分析した結果をインターネット経由で受信することができる。
【００２６】
次に、主装置１の動作について説明する。主装置１においては、それぞれの分岐回路（電線Ｌｐn）に接続されている電気機器Ｍnの機器名、機器種別、設置場所（例えば、リビング、台所、浴室、居室、トイレなど）の情報が記憶部１１のデータテーブルに予め登録（記憶）されている。また、記憶部１１のデータテーブルには「活動カテゴリ」と対応する機器種別が予め設定されており、後述するように、予め対応関係が設定されている機器種別に属する電気機器Ｍnの動作量によって制御部１０が各活動カテゴリの活動量を推定する。本実施形態における活動カテゴリは、インフラ系、エンターテイメント系、リラックス系、キッチン系の計４つがあり、例えば、インフラ系には照明器具、冷暖房機器などの機器種別が対応し、エンターテイメント系にはテレビ受像機、ビデオ録画再生機、音響機器などの機器種別が対応し、リラックス系にはマッサージ器や他動運動機器などの機器種別が対応し、キッチン系には調理機器などの機器種別が対応する。
【００２７】
システムの運用を開始すると、主装置１の各分岐電流検出部１３nが常時分岐電流を検出し、電力量演算部１４において各分岐回路の電力量を例えば１時間毎に演算して制御部１０に送る。制御部１０では、分岐電流検出部１３nで検出する電流値の変化に基づいて各分岐回路（電線Ｌｐn）に接続されている電気機器Ｍnの電源のオン／オフを判断しその日時と対応付けて記憶部１１に記憶させ、同じく、各分岐回路の電力量についても日時と対応付けて記憶部１１に記憶させる。
【００２８】
続いて、記憶部１１に記憶した情報（電気機器Ｍnの日時に対応した動作状況）に基づいて制御部１０が居住者の生活活動を推定する処理（１）〜（５）について説明する。
【００２９】
まず推定処理（１）では、インフラ系の機器種別に対応する電気機器Ｍnの動作状況に基づいて住宅Ｈに住まう居住者の活動動線を推定する。具体的には、前記電気機器Ｍnの電源がオンとなったときに当該電気機器Ｍnが設置されている部屋のカウント値をインクリメントし、反対に電気機器Ｍnの電源がオフとなったときに部屋のカウント値をデクリメントすることにより、当該カウント値の時間的な推移を住宅Ｈ内における居住者の活動動線とみなす。そして、制御部１０によって推定される活動動線の情報が日時に対応付けて記憶部１１に記憶される。
【００３０】
また推定処理（２）では、居住者の活動の概要を推定する。具体的には、各活動カテゴリに対応する全ての電気機器Ｍnの動作量（１時間当たりの累積使用時間）の合計値をそれぞれの活動カテゴリの活動量とみなす。但し、インフラ系の冷暖房機器は使用時間と強度が重要となるから、１時間当たりの消費電力量で動作量を規定する。そして、制御部１０によって推定される各活動カテゴリ毎の活動量の情報が日時に対応付けて記憶部１１に記憶される。
【００３１】
推定処理（３）では、各部屋毎に活動状況の概要を推定する。具体的には、各部屋毎に、当該部屋に設置されている電気機器Ｍnの１時間当たりの動作量の合計値をその部屋の活動量とみなす。そして、制御部１０によって推定される各部屋毎の活動量の情報が日時に対応付けて記憶部１１に記憶される。
【００３２】
推定処理（４）では、生活活動として関心が高い特定の活動（入浴、就寝、排尿・排便など）の状況を推定する。具体的には、浴室の照明器具や給湯機器の電源がオンとなっている時間から入浴時間を推定したり、トイレの照明器具の電源がオンとなっている時間から排尿・排便の時間を推定したり、あるいは、夜間（例えば、２１時〜９時）において寝室の照明器具の電源がオフとなっている時間から就寝時間を推定する。そして、制御部１０によって推定される特定の活動状況の情報が日時に対応付けて記憶部１１に記憶される。
【００３３】
さらに推定処理（５）では、生活状況の中から特徴的状況を推定する。具体的には、推定処理（２）で推定した各活動カテゴリ毎の活動量と推定処理（４）で推定した特定活動の活動量について、それぞれの１ヶ月の平均値と当該日の活動量を比較し、平均値に対して所定の割合（例えば、３０％）以上の変化が生じているもの、および１日のうちで活動量が最大となる時刻がその平均値に対して所定時間（例えば、２時間）以上ずれがあるものを抽出し、それを特徴的状況をみなす。そして、制御部１０によって推定される特徴的状況の情報が日時に対応付けて記憶部１１に記憶される。
【００３４】
上述のようにして主装置１の記憶部１１に蓄積された情報（生活活動）は、制御部１０が有しているウェブサーバ機能を利用して表示装置２に配信され、表示装置２に搭載されたウェブブラウザ機能によって画面に表示される。すなわち、制御部１０は生活情報を表示するためのウェブコンテンツを作成する機能を有しており、表示装置２より生活情報の配信要求を受け取ったとき、当該ウェブコンテンツをウェブサーバ機能によって表示装置２に配信するのである。
【００３５】
制御部１０で作成されるウェブコンテンツは、例えば、図２に示すように日時と、リビングＲ１、キッチンＲ２、浴室・洗面所Ｒ３、寝室Ｒ４などの各部屋を配置した住宅Ｈの見取り図と、居住者が自由に書き込めるコメント欄Ｘとを表示するウェブページからなり、見取り図における各部屋Ｒ１〜Ｒ４には各部屋毎の活動量が円グラフＣ１〜Ｃ４で示されている。これらの円グラフＣ１〜Ｃ４は、朝昼晩の時間帯毎の活動量を色分けして表すとともに、１日のトータルの活動量が多いほど直径が大きくなっている。尚、住宅Ｈの見取り図のデータは、それぞれの電気機器Ｍnの配置情報と対応付けた形で予め主装置１の記憶部１１に記憶されており、各部屋に配置されている電気機器Ｍnに対応したアイコン等を見取り図内に表示することが望ましい。
【００３６】
また本システムでは、いわゆるソフトウェアキーボードによる文字入力環境を主装置１の制御部１０のウェブサーバ機能と表示装置２のウェブブラウザ機能を利用して表示装置２に配信することができる。従って、表示装置２に付属するリモートコントローラを使ってソフトウェアキーボードを操作すれば、居住者が自由に文章（コメント）を入力することができる。そして、入力された文字情報は主装置１の記憶部１１に記憶されるとともに、ウェブページに設けられているコメント欄Ｘに表示される。
【００３７】
而して本実施形態の生活活動記録システムによれば、主装置１において、電気機器Ｍnの動作状況を自動的に収集するとともに当該動作状況から推定される居住者の生活活動を記憶し、記憶した生活活動を表示装置２に配信して表示するので、従来例のように住宅内に設置される電気機器全てに人体検知手段や操作検知手段を設ける必要がなく、居住者の生活活動を簡易且つ低コストで自動的に記録することができる。また、上述のように生活活動を住宅Ｈの見取り図と対応させて表示装置２に表示すれば、生活活動記録の利便性が向上するという利点がある。さらに、１日単位あるいは１週間単位で総合した生活活動を表示装置２で表示しても生活活動記録の利便性を向上することができる。しかも、本実施形態では生活活動を表示するためのウェブページに居住者が自由にコメントを書き込めるから、生活活動記録の利便性を一層向上することができる。
【００３８】
ここで、所定期間内の活動量を時系列に連続して配信すれば、当該期間内における活動量（生活活動）の時間的な推移をあたかも動画を見るようにして把握することができて生活活動記録の利便性をさらに向上することができる。
【図面の簡単な説明】
【００３９】
【図１】本発明の実施形態を示すシステム構成図である。
【図２】同上における表示装置に表示された生活活動の説明図である。
【符号の説明】
【００４０】
１  主装置
２  表示装置
１０  制御部
１１  記憶部
１２  通信部
１３n  分岐電流検出部
１４  電力量演算部
Ｈ  住宅
ＰＢ  住宅用分電盤
ＳＢn  分岐開閉器
Ｌｐ  電線
Ｍn  電気機器
【図１】
2009109242.tif 000003
【図２】
2009109242.tif 000004